【事件の表示】
　特許第２８９５４４２号「弾球遊技機」の請求項１に係る特許に対する特許異議の申立てについて、次のとおり決定する。
【結　論】
　訂正を認める。
　特許第２８９５４４２号の請求項１に係る特許を維持する。
【理　由】
１・手続の経緯
　特許第２８９５４４２号の請求項１に係る発明についての出願は、平成１年４月２４日に出願された特許出願（特願平１−１０４２５５号）の一部が特許法第４４条第１項の規定により平成８年４月２４日に新たな特許出願（特願平８−１２９０３０号）とされ、この新たな特許出願の一部が同規定により平成８年５月２３日に新たな特許出願とされたものであって、平成１１年３月５日にその特許権の設定登録がなされ、その後、荒井俊之（以下、「申立人」という）より特許異議の申立てがなされ、取消しの理由が通知され、その指定期間内である平成１２年８月２１日に訂正請求（後日取下げ）がなされ、その後、再度の取消しの理由が通知され、その指定期間内である平成１３年１月９日に訂正請求が（後日取下げ）なされ、その後、再々度の取消しの理由が通知され、その指定期間内である平成１３年８月１３日に訂正請求（後日取下げ）がなされ、その後、訂正拒絶理由が通知された後、再々々度の取消しの理由が通知され、その指定期間内である平成１４年３月２０日に訂正請求がなされたものである。
２・訂正の適否についての判断
（１）訂正の内容
ア・訂正事項ａ
　特許請求の範囲中の「電気的駆動源の作動によって払出される景品玉数を異ならせることが可能な景品玉払出装置と」及び「前記景品玉払出装置を駆動制御する」を、それぞれ「供給通路で待機している景品玉の玉圧を受け止める玉載置部に載置される景品玉を電気的駆動源によって回転する回転体の爪部で押し出すように払出し且つ払出される景品玉数を異ならせて所定個数ずつ払出すことが可能な景品玉払出装置と」及び「景品玉の未払出数を前記所定個数ずつの払出の時間間隔を置くことなく連続的に払出すように前記景品玉払出装置を駆動制御する」と訂正する。
イ・訂正事項ｂ
　明細書の段落【０００１】中の「電気的駆動源の作動によって払出される景品玉数を異ならせることが可能な景品玉払出装置と」を、「供給通路で待機している景品玉の玉圧を受け止める玉載置部に載置される景品玉を電気的駆動源によって回転する回転体の爪部で押し出すように払出し且つ払出される景品玉数を異ならせて所定個数ずつ払出すことが可能な景品玉払出装置と」と訂正する。
ウ・訂正事項ｃ
　明細書の段落【０００５】中の「図１、図２、図３、図１１」、「電気的駆動源としての景品玉払出モータ１０３の作動によって払出される景品玉数を異ならせることが可能な景品玉払出装置９０と」及び「前記景品玉払出装置９０を駆動制御する」を、それぞれ「図１、図２、図３、図６、図１１」、「供給通路９２で待機している景品玉の玉圧を受け止める玉載置部９９に載置される景品玉を電気的駆動源としての景品玉払出モータ１０３によって回転する回転体としてのスプロケット１０５の爪部１０６で押し出すように払出し且つ払出される景品玉数を異ならせて所定個数ずつ払出すことが可能な景品玉払出装置９０と」及び「景品玉の未払出数を前記所定個数ずつの払出の時間間隔を置くことなく連続的に払出すように前記景品玉払出装置９０を駆動制御する」と訂正する。
エ・訂正事項ｄ
　明細書の段落【００５８】中の「景品玉払出装置の動作を制御する払出装置制御部が包含されるので」を、「景品玉の未払出数を所定個数ずつの払出の時間間隔を置くことなく連続的に払出すように景品玉払出装置を駆動制御する払出装置制御部が包含されるので」と訂正する。
（２）訂正の目的の適否、新規事項の有無及び拡張・変更の存否
　上記訂正事項ａは、特許請求の範囲の減縮を目的とした明細書の訂正に該当し、上記訂正事項ｂ乃至ｄは、上記訂正事項ａと整合を図るものであるから、明りょうでない記載の釈明を目的とした明細書の訂正に該当し、いずれも、新規事項の追加に該当せず、実質的に特許請求の範囲を拡張し、変更するものではない。
（３）独立特許要件の判断
ア・訂正明細書の請求項１に係る発明
　上記訂正に係る訂正明細書の請求項１に係る発明は、訂正明細書の特許請求の範囲の請求項１に記載された事項により特定されるとおりの、
「遊技盤保持枠に着脱自在に取付けられた遊技盤と、主として該遊技盤上に設けられた電気的遊技装置と、供給通路で待機している景品玉の玉圧を受け止める玉載置部に載置される景品玉を電気的駆動源によって回転する回転体の爪部で押し出すように払出し且つ払出される景品玉数を異ならせて所定個数ずつ払出すことが可能な景品玉払出装置と、前記電気的遊技装置を駆動制御する遊技装置制御回路と、を備えた弾球遊技機において、
　前記遊技装置制御回路には、景品玉の未払出数を前記所定個数ずつの払出の時間間隔を置くことなく連続的に払出すように前記景品玉払出装置を駆動制御する払出装置制御部を包含していることを特徴とする弾球遊技機」
である。
イ・取消しの理由で引用された、刊行物に記載された発明及び先願明細書に記載された発明、並びに、訂正拒絶理由で例示された、刊行物に記載された発明
　当審が通知した取消しの理由で引用した、本件特許出願前に国内において頒布された刊行物である、特開昭６４−８０３８５号公報（西暦１９８９年３月２７日公開、以下、「引用例１」という）には、
「遊技盤５上に設けられた上部入賞装置１６や下部入賞装置１７と、払出される賞品球数を異ならせて所定個数ずつ払出すことが可能な賞品球払出手段と、前記上部入賞装置１６や下部入賞装置１７を駆動制御する入賞装置の制御部９４と、を備えたパチンコ機において、
　前記入賞装置の制御部９４には、前記賞品球払出手段を駆動制御する始動口検出スイッチＳＷ６、左昇降板作動検出スイッチＳＷ１０からの入力信号を受け入れる入力ポートや賞品球払出モータＭ１、右昇降板駆動ソレノイドＳＯＬ２を制御するための信号を出力する出力ポートを包含しているパチンコ機」を構成とする発明が、
同じく、本件特許出願前に国内において頒布された刊行物である、特開昭５９−１０５４７６号公報（以下、「引用例２」という）には、
「遊技盤保持枠に着脱自在に取付けられた遊技盤３を備えたパチンコ機」を構成とする発明が、
同じく、本件特許出願前に国内において頒布された刊行物である、特開昭５６−５７４６５号公報（以下、「引用例３」という）には、
「シュート４５で待機している賞球をソレノイド６４又はステッピングモータ１１１によって回転するスプロケット５６又は１１０の爪部で排出し且つ排出される賞球数を異ならせて所定個数ずつ排出することが可能な賞球排出装置４４を備えたパチンコ機」を構成とする発明が、
同じく、本件特許出願前に国内において頒布された刊行物である、特開昭５７−４５８７９号公報（以下、「引用例４」という）には、
「導出樋２６で待機している賞球を電磁ソレノイド２８によって排出し且つ排出される賞球数を異ならせて所定個数ずつ排出することが可能な賞球排出装置１９を備えたパチンコ機」を構成とする発明が、
同じく、本件特許出願前に国内において頒布された刊行物である、特開昭５９−２５７７３号公報（以下、「引用例５」という）には、
「遊技盤６上に設けられた入賞球表示器１０と、タンクレール３２で待機している景品球をソレノイド３５によって所定個数ずつ排出することが可能な景品球排出装置３３と、前記入賞球表示器１０を駆動制御する電子制御部２４と、を備えたパチンコ式組合せゲーム機において、
　前記電子制御部２４には、前記景品球排出装置３３を駆動制御する景品球排出制御回路部４３を包含しているパチンコ式組合せゲーム機」を構成とする発明が、
同じく、本件特許出願前に国内において頒布された刊行物である、特開昭５７−４９４７９号公報（以下、「引用例６」という）には、
「シュート１３で待機している賞球をソレノイドによって排出し且つ排出される賞球数を異ならせて所定個数ずつ排出することが可能な賞球排出装置８４を備えたパチンコ機」を構成とする発明が、
同じく、本件特許出願前に国内において頒布された刊行物である、特開昭６２−１３９６８２号公報（以下、「引用例７」という）には、
「遊技盤４上に設けられたデジタル表示体Ａ、Ｂ、Ｃや入賞球表示装置６や可変入賞装置１０と、賞球放出樋で待機している賞球を放出することが可能な賞球放出装置と、前記デジタル表示体Ａ、Ｂ、Ｃや入賞球表示装置６や可変入賞装置１０を駆動制御するマイクロコンピュータと、を備えたパチンコ型ゲーム機において、
　前記マイクロコンピュータは、前記賞球放出装置も駆動制御するパチンコ型ゲーム機」を構成とする発明が、
同じく、本件特許出願前に国内において頒布された刊行物である、特開昭６３−３８４８０号公報（以下、「引用例８」という）には、
特に、「めいん基盤６８を図柄可変表示装置３３及び大入賞装置３５に係る制御装置と一体化・・・することも勿論可能であり」（第４頁右上欄第３〜６行）の記載からみて、
「着脱自在に取付けられた遊技盤１４と、該遊技盤１４上に設けられた電気的図柄可変表示装置３３や大入賞装置３５と、賞球を給出し且つ給出される賞球数を異ならせて所定個数ずつ給出することが可能な賞球給出部Ｆと、前記電気的図柄可変表示装置３３や大入賞装置３５を駆動制御する制御装置と、を備えたパチンコ機において、
　前記制御装置には、前記賞球給出部Ｆを駆動制御するメイン基盤６８を包含しているパチンコ機」を構成とする発明が、
同じく、本件特許出願前に国内において頒布された刊行物である、特開昭５９−２０９３７２号公報（以下、「引用例９」という）には、
特に、「爪部３２ｂに当接した賞品球Ｂは流出しないように係止され、凹部３２ａに係合した賞品球Ｂ’は阻止プレート３３に当接して後続の賞品球Ｂ”との間に狭持され」（第３頁左下欄第２０行〜右上欄第４行）、第６図（第７頁）及び第８図（第８頁）の記載からみて、
「誘導路２５で待機している賞品球の玉圧を受ける阻止プレート３３に当接して後続の賞品球との間に狭持される賞品球をパルスモータ３１によって回転する分離用スプロケット３２の爪部３２ｂで押し出すように払出し且つ払出される賞品球数を異ならせて所定個数ずつ払出すことが可能な賞品球払出装置３０を備えたパチンコ遊技機」を構成とする発明が、
同じく、本件特許出願の日前の特許出願であって本件特許出願後に出願公開された特願昭６３−２５４５８３号（特開平２−２０３８８３号）の願書に最初に添付した明細書又は図面（以下、「先願明細書」という）には、
「遊技盤保持枠１１３に着脱自在に取付けられた遊技盤１００と、該遊技盤１００上に設けられた変動入賞装置５０と、案内樋２０２で待機している賞品球をソレノイド２２１によって排出し且つ排出される賞品球数を異ならせて所定個数ずつ排出することが可能な賞品球排出装置２２０と、前記変動入賞装置５０を駆動制御する遊技内容（役物）制御装置６００と、を備えたパチンコ遊技機において、
　前記遊技内容（役物）制御装置６００と前記賞品球排出装置２２０を駆動制御する裏メカ制御装置３００とが別個であるパチンコ遊技機」を構成とする発明が、
当審が通知した訂正拒絶理由で例示した、本件特許出願前に国内において頒布された刊行物である、特公昭６３−６５３５１号公報（以下、「例示例１」という）には、
特に、「遊技中の一定時間内における入賞信号数に対する賞球排出数を電気的制御装置が演算して総排出数表示装置に表示するとともに、賞球排出装置を作動してこの総排出数表示装置に表示した数の賞球を一括して排出する」（第１頁第１欄第１６〜２０行）の記載からみて、
「導出樋２２で待機している賞球を電磁ソレノイド２８によって排出し且つ排出される賞球数を異ならせて所定個数ずつ排出することが可能な賞球排出装置２０を備えたパチンコ機において、
　遊技中の一定時間内における入賞信号数に対する賞球排出数を一括して排出するように前記賞球排出装置２０を駆動制御する電気的制御装置１９を備えているパチンコ機」を構成とする発明が、
同じく、本件特許出願前に国内において頒布された刊行物である、特開昭６４−２７５７８号公報（西暦１９８９年１月３０日公開、以下、「例示例２」という）には、
「中枠７に着脱自在に取付けられた遊技盤６と、該遊技盤６上に設けられた可変表示装置１３や可変入賞球装置１４と、景品玉誘導樋５９で待機している景品玉を駆動モータ８４によって払出し且つ払出される景品玉数を異ならせて所定個数ずつ払出すことが可能な景品玉払出装置８０と、前記可変表示装置１３や可変入賞球装置１４を駆動制御するマイクロコンピュータ１２０と、を備えた弾球遊技機」を構成とする発明が、
それぞれ記載されていると認めることができる。
ウ・対比及び判断
　訂正明細書の請求項１に係る発明（前者）と、各引用例に記載された発明、先願明細書に記載された発明及び各例示例に記載された発明とを対比すると、
引用例１に記載された発明の
「上部入賞装置１６や下部入賞装置１７」、「賞品球」、「賞品球払出手段」、「入賞装置の制御部９４」、「パチンコ機」及び「始動口検出スイッチＳＷ６，左昇降板作動検出スイッチＳＷ１０からの入力信号を受け入れる入力ポートや賞品球払出モータＭ１、右昇降板駆動ソレノイドＳＯＬ２を制御するための信号を出力する出力ポート」
がそれぞれの機能に照らし、それぞれ
前者の
「電気的遊技装置」、「景品玉」、「景品玉払出装置」、「遊技装置制御回路」、「弾球遊技機」及び「払出装置制御部」
に相当するものと認められるから、
引用例１に記載された発明には、
「遊技盤上に設けられた電気的遊技装置と、払出される景品玉数を異ならせて所定個数ずつ払出すことが可能な景品玉払出装置と、前記電気的遊技装置を駆動制御する遊技装置制御回路と、を備えた弾球遊技機において、
　前記遊技装置制御回路には、前記景品玉払出装置を駆動制御する払出装置制御部を包含している弾球遊技機」
という構成が備わっているものと認められ、
又、
引用例２に記載された発明の
「パチンコ機」
がその機能に照らし、
前者の
「弾球遊技機」
に相当するものと認められるから、
引用例２に記載された発明には、
「遊技盤保持枠に着脱自在に取付けられた遊技盤を備えた弾球遊技機」
という構成が備わっているものと認められ、
又、
引用例３に記載された発明の
「シュート４５」、「賞球」、「ソレノイド６４又はステッピングモータ１１１」、「スプロケット５６又は１１０」、「排出」、「排出する」、「賞球排出装置４４」及び「パチンコ機」
がそれぞれの機能に照らし、それぞれ
前者の
「供給通路」、「景品玉」、「電気的駆動源」、「回転体」、「払出」、「払出す」、「景品玉払出装置」及び「弾球遊技機」
に相当するものと認められるから、
引用例３に記載された発明には、
「供給通路で待機している景品玉を電気的駆動源によって回転する回転体の爪部で払出し且つ払出される景品玉数を異ならせて所定個数ずつ払出すことが可能な景品玉払出装置を備えた弾球遊技機」
という構成が備わっているものと認められ、
又、
引用例４に記載された発明の
「導出樋２６」、「賞球」、「電磁ソレノイド２８」、「排出」、「排出する」、「賞球排出装置１９」及び「パチンコ機」
がそれぞれの機能に照らし、それぞれ
前者の
「供給通路」、「景品玉」、「電気的駆動源」、「払出」、「払出す」、「景品玉払出装置」及び「弾球遊技機」
に相当するものと認められるから、
引用例４に記載された発明には、
「供給通路で待機している景品玉を電気的駆動源によって払出し且つ払出される景品玉数を異ならせて所定個数ずつ払出すことが可能な景品玉払出装置を備えた弾球遊技機」
という構成が備わっているものと認められ、
又、
引用例５に記載された発明の
「入賞球表示器１０」、「タンクレール３２」、「景品球」、「ソレノイド３５」、「排出する」、「景品球排出装置３３」、「電子制御部２４」、「パチンコ式組合せゲーム機」及び「景品球排出制御回路部４３」
がそれぞれの機能に照らし、それぞれ
前者の
「電気的遊技装置」、「供給通路」、「景品玉」、「電気的駆動源」、「払出す」、「景品玉払出装置」、「遊技装置制御回路」、「弾球遊技機」及び「払出装置制御部」
に相当するものと認められるから、
引用例５に記載された発明には、
「遊技盤上に設けられた電気的遊技装置と、供給通路で待機している景品玉を電気的駆動源によって所定個数ずつ払出すことが可能な景品玉払出装置と、前記電気的遊技装置を駆動制御する遊技装置制御回路と、を備えた弾球遊技機において、
　前記遊技装置制御回路には、前記景品玉払出装置を駆動制御する払出装置制御部を包含している弾球遊技機」
という構成が備わっているものと認められ、
又、
引用例６に記載された発明の
「シュート１３」、「賞球」、「ソレノイド」、「排出」、「排出する」、「賞球排出装置８４」及び「パチンコ機」
がそれぞれの機能に照らし、それぞれ
前者の
「供給通路」、「景品玉」、「電気的駆動源」、「払出」、「払出す」、「景品玉払出装置」及び「弾球遊技機」
に相当するものと認められるから、
引用例６に記載された発明には、
「供給通路で待機している景品玉を電気的駆動源によって払出し且つ払出される景品玉数を異ならせて所定個数ずつ払出すことが可能な景品玉払出装置を備えた弾球遊技機」
という構成が備わっているものと認められ、
又、
引用例７に記載された発明の
「デジタル表示体Ａ、Ｂ、Ｃや入賞球表示装置６や可変入賞装置１０」、「賞球放出樋」、「賞球」、「放出する」、「賞球放出装置」、「マイクロコンピュータ」、「パチンコ型ゲーム機」
がそれぞれの機能に照らし、それぞれ
前者の
「電気的遊技装置」、「供給通路」、「景品玉」、「払出す」、「景品玉払出装置」、「遊技装置制御回路」と「払出装置制御部」、「弾球遊技機」
に相当するものと認められるから、
引用例７に記載された発明には、
「遊技盤上に設けられた電気的遊技装置と、供給通路で待機している景品玉を払出すことが可能な景品玉払出装置と、前記電気的遊技装置を駆動制御する遊技装置制御回路と、を備えた弾球遊技機において、
　前記遊技装置制御回路には、前記景品玉払出装置を駆動制御する払出装置制御部を包含している弾球遊技機」
という構成が備わっているものと認められ、
又、
引用例８に記載された発明の
「電気的図柄可変表示装置３３や大入賞装置３５」、「賞球」、「給出」、「給出する」、「賞球給出部Ｆ」、「制御装置」、「パチンコ機」及び「メイン基盤６８」
がそれぞれの機能に照らし、それぞれ
前者の
「電気的遊技装置」、「景品玉」、「払出」、「払出す」、「景品玉払出装置」、「遊技装置制御回路」、「弾球遊技機」及び「払出装置制御部」
に相当するものと認められるから、
引用例８に記載された発明には、
「着脱自在に取付けられた遊技盤と、該遊技盤上に設けられた電気的遊技装置と、景品玉を払出し且つ払出される景品玉数を異ならせて所定個数ずつ払出すことが可能な景品玉払出装置と、前記電気的遊技装置を駆動制御する遊技装置制御回路と、を備えた弾球遊技機において、
　前記遊技装置制御回路には、前記景品玉払出装置を駆動制御する払出装置制御部を包含している弾球遊技機」
という構成が備わっているものと認められ、
又、
引用例９に記載された発明の
「誘導路２５」、「賞品球」、「パルスモータ３１」、「分離用スプロケット３２」、「賞品球払出装置３０」及び「パチンコ遊技機」
がそれぞれの機能に照らし、それぞれ
前者の
「供給通路」、「景品玉」、「電気的駆動源」、「回転体」、「景品玉払出装置」及び「弾球遊技機」
に相当するものと認められるから、
引用例９に記載された発明には、
「供給通路で待機している景品玉の玉圧を受ける阻止プレート３３に当接して後続の賞品球との間に狭持される景品玉を電気的駆動源によって回転する回転体の爪部で押し出すように払出し且つ払出される景品玉数を異ならせて所定個数ずつ払出すことが可能な景品玉払出装置を備えた弾球遊技機」
という構成が備わっているものと認められ、
又、
先願明細書に記載された発明の
「変動入賞装置５０」、「案内樋２０２」、「賞品球」、「ソレノイド２２１」、「排出」、「排出する」、「賞品球排出装置２２０」、「遊技内容（役物）制御装置６００」、「パチンコ遊技機」及び「裏メカ制御装置３００」
がそれぞれの機能に照らし、それぞれ
前者の
「電気的遊技装置」、「供給通路」、「景品玉」、「電気的駆動源」、「払出」、「払出す」、「景品玉払出装置」、「遊技装置制御回路」、「弾球遊技機」及び「払出装置制御部」
に相当するものと認められるから、
先願明細書に記載された発明には、
「遊技盤保持枠に着脱自在に取付けられた遊技盤と、該遊技盤上に設けられた電気的遊技装置と、供給通路で待機している景品玉を電気的駆動源によって払出し且つ払出される景品玉数を異ならせて所定個数ずつ払出すことが可能な景品玉払出装置と、前記電気的遊技装置を駆動制御する遊技装置制御回路と、を備えた弾球遊技機において、
　前記遊技装置制御回路と前記景品玉払出装置を駆動制御する払出装置制御部とが別個である弾球遊技機」
という構成が備わっているものと認められ、
又、
例示例１に記載された発明の
「導出樋２２」、「賞球」、「電磁ソレノイド２８」、「排出」、「排出する」、「賞球排出装置２０」、「パチンコ機」、「遊技中の一定時間内における入賞信号数に対する賞球排出数」、「一括して」及び「電気的制御装置１９」
がそれぞれの機能に照らし、それぞれ
前者の
「供給通路」、「景品玉」、「電気的駆動源」、「払出」、「払出す」、「景品玉払出装置」、「弾球遊技機」、「景品玉の未払出数」、「前記所定個数ずつの払出の時間間隔を置くことなく連続的に」及び「払出装置制御部」
に相当するものと認められるから、
例示例１に記載された発明には、
「供給通路で待機している景品玉を電気的駆動源によって払出し且つ払出される景品玉数を異ならせて所定個数ずつ払出すことが可能な景品玉払出装置を備えた弾球遊技機において、
　景品玉の未払出数を前記所定個数ずつの払出の時間間隔を置くことなく連続的に払出すように前記景品玉払出装置を駆動制御する払出装置制御部を備えている弾球遊技機」
という構成が備わっているものと認められ、
又、
例示例２に記載された発明の
「中枠７」、「可変表示装置１３や可変入賞球装置１４」、「景品玉誘導樋５９」、「駆動モータ８４」及び「マイクロコンピュータ１２０」
がそれぞれの機能に照らし、それぞれ
前者の
「遊技盤保持枠」、「電気的遊技装置」、「供給通路」、「電気的駆動源」及び「遊技装置制御回路」
に相当するものと認められるから、
例示例２に記載された発明には、
「遊技盤保持枠に着脱自在に取付けられた遊技盤と、該遊技盤上に設けられた電気的遊技装置と、供給通路で待機している景品玉を電気的駆動源によって払出し且つ払出される景品玉数を異ならせて所定個数ずつ払出すことが可能な景品玉払出装置と、前記電気的遊技装置を駆動制御する遊技装置制御回路と、を備えた弾球遊技機」
という構成が備わっているものと認められる。
　ところで、先願明細書に記載された発明には、
前者の構成要件である、「供給通路で待機している景品玉の玉圧を受け止める玉載置部」も、
同じく、「景品玉を電気的駆動源によって回転する回転体の爪部で押し出すように払出」す点も、
同じく、「遊技装置制御回路には、景品玉の未払出数を所定個数ずつの払出の時間間隔を置くことなく連続的に払出すように景品玉払出装置を駆動制御する払出装置制御部を包含」する点も、備わっていないから、
前者が先願明細書に記載された発明と同一であるとは到底いえない。
　そこで、各引用例に記載された発明及び各例示例に記載された発明についてみるに、
前者の構成要件である、「遊技盤保持枠に着脱自在に取付けられた遊技盤」の点は、
引用例２及び８に記載された発明並びに例示例２に記載された発明に、それぞれ備わっているものと認められ、
同じく、「遊技盤上に設けられた電気的遊技装置と、供給通路で待機している景品玉を電気的駆動源によって払出し且つ払出される景品玉数を異ならせて所定個数ずつ払出すことが可能な景品玉払出装置と、前記電気的遊技装置を駆動制御する遊技装置制御回路と、を備え」る点は、
引用例１及び８に記載された発明並びに例示例２に記載された発明に、それぞれ備わっているものと認められ、
同じく、景品玉払出装置が景品玉を「回転する回転体の爪部で押し出すように払出」す点は、
引用例９に記載された発明に備わっているものと認められ、
同じく、「遊技装置制御回路には、景品玉払出装置を駆動制御する払出装置制御部を包含」する点は、
引用例１、５、７及び８に記載された発明に、それぞれ備わっているものと認められ、
同じく、「景品玉の未払出数を所定個数ずつの払出の時間間隔を置くことなく連続的に払出すように景品玉払出装置を駆動制御する」点は、
例示例１に記載された発明に備わっているものと認められるものの、
前者の構成要件である、供給通路で待機している景品玉が「景品玉の玉圧を受け止める玉載置部に載置される」点は、
各引用例に記載された発明及び各例示例に記載された発明の何れにも、備わっていないものと認められる。
　この点について更に検討するに、引用例８に記載された発明には、「供給通路で待機している景品玉の玉圧を受ける阻止プレート３３」があるものの、引用例８に記載された発明においては、供給通路で待機している景品玉は、阻止プレート３３に当接して後続の賞品球との間に「狭持」されるのであり、阻止プレート３３に「載置」されるのではない。
　そして、「載す」の意味が、「広辞苑（新村出編、昭和５５年９月２０日第２版補訂版第５刷、岩波書店発行、第１７４４頁）」によれば、「物の上に別の物をちょうど釣り合うように位置を取らせる意」であり、又、「狭持」の意味が、同じく「広辞苑（同第５６９頁）」によれば、「そばから力を添えて助けささえること」であることを考慮すると、「載置」と「狭持」とでは、意味が実質的に異なるものと認められる。
　それゆえ、前者は、各引用例に記載された発明及び各例示例に記載された発明に基づいて当業者が容易に発明をすることができたものではない。
　したがって、前者は、特許出願の際独立して特許を受けることができるものである。
（４）むすび
　以上のとおりであるから、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
３・特許異議の申立てについての判断
（１）申立ての理由の概要
　申立人は、
甲第１号証（上記引用例１）及び甲第２号証（上記引用例２）を引用し、
本件特許発明は、甲第１号証に記載された発明及び甲第２号証に記載された発明に基づいて、当業者が容易に発明をすることができたものであるから特許法第２９条第２項の規定に違反して特許されたものであり、したがって、本件発明の特許は、取り消されるべきものである旨主張している。
（２）本件発明
　上記２・で示したように上記訂正が認められたので、本件特許第２８９５４４２号の請求項１に係る発明は、上記訂正に係る訂正明細書の特許請求の範囲の請求項１に記載された事項により特定される上記のとおりのものである。
（３）判断
　本件発明は、上記２・（３）で示したように、取消しの理由で引用した各引用例に記載された発明、すなわち、甲号各証に記載された発明、に基づいて容易に発明をすることができたものではない。　
（４）むすび
　以上のとおりであるから、特許異議申立ての理由及び証拠によっては、本件請求項１に係る発明の特許を取り消すことはできない。
　又、他に本件請求項１に係る発明の特許を取り消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年５月２８日（２００２．５．２８）
【訂正の要旨】
（１）訂正の要旨
ア・訂正事項ａ
　特許請求の範囲中の「電気的駆動源の作動によって払出される景品玉数を異ならせることが可能な景品玉払出装置と」及び「前記景品玉払出装置を駆動制御する」を、それぞれ特許請求の範囲の減縮を目的として「供給通路で待機している景品玉の玉圧を受け止める玉載置部に載置される景品玉を電気的駆動源によって回転する回転体の爪部で押し出すように払出し且つ払出される景品玉数を異ならせて所定個数ずつ払出すことが可能な景品玉払出装置と」及び「景品玉の未払出数を前記所定個数ずつの払出の時間間隔を置くことなく連続的に払出すように前記景品玉払出装置を駆動制御する」と訂正する。
イ・訂正事項ｂ
　明細書の段落【０００１】中の「電気的駆動源の作動によって払出される景品玉数を異ならせることが可能な景品玉払出装置と」を、明りょうでない記載の釈明を目的として「供給通路で待機している景品玉の玉圧を受け止める玉載置部に載置される景品玉を電気的駆動源によって回転する回転体の爪部で押し出すように払出し且つ払出される景品玉数を異ならせて所定個数ずつ払出すことが可能な景品玉払出装置と」と訂正する。
ウ・訂正事項ｃ
　明細書の段落【０００５】中の「図１，図２，図３，図１１」、「電気的駆動源としての景品玉払出モータ１０３の作動によって払出される景品玉数を異ならせることが可能な景品玉払出装置９０と」及び「前記景品玉払出装置９０を駆動制御する」を、それぞれ明りょうでない記載の釈明を目的として「図１，図２，図３，図６，図１１」、「供給通路９２で待機している景品玉の玉圧を受け止める玉載置部９９に載置される景品玉を電気的駆動源としての景品玉払出モータ１０３によって回転する回転体としてのスプロケット１０５の爪部１０６で押し出すように払出し且つ払出される景品玉数を異ならせて所定個数ずつ払出すことが可能な景品玉払出装置９０と」及び「景品玉の未払出数を前記所定個数ずつの払出の時間間隔を置くことなく連続的に払出すように前記景品玉払出装置９０を駆動制御する」と訂正する。
エ・訂正事項ｄ
　明細書の段落【００５８】中の「景品玉払出装置の動作を制御する払出装置制御部が包含されるので」を、明りょうでない記載の釈明を目的として「景品玉の未払出数を所定個数ずつの払出の時間間隔を置くことなく連続的に払出すように景品玉払出装置を駆動制御する払出装置制御部が包含されるので」と訂正する。
（５４）【発明の名称】
弾球遊技機
（５７）【特許請求の範囲】
　【請求項１】　遊技盤保持枠に着脱自在に取付けられた遊技盤と、主として該遊技盤上に設けられた電気的遊技装置と、
供給通路で待機している景品玉の玉圧を受け止める玉載置部に載置される景品玉を電気的駆動源によって回転する回転体の爪部で押し出すように払出し且つ払出される景品玉数を異ならせて所定個数ずつ払出す
　前記遊技装置制御回路には、
景品玉の未払出数を前記所定個数ずつの払出の時間間隔を置くことなく連続的に払出すように
【発明の詳細な説明】
　【０００１】
　【発明の属する技術分野】
　この発明は、遊技盤保持枠に着脱自在に取付けられた遊技盤と、主として該遊技盤上に設けられた電気的遊技装置と、
供給通路で待機している景品玉の玉圧を受け止める玉載置部に載置される景品玉を電気的駆動源によって回転する回転体の爪部で押し出すように払出し且つ払出される景品玉数を異ならせて所定個数ずつ払出す
　【０００２】
　【従来の技術】
　従来、遊技盤に設けられた入賞装置（入賞口を含む）に入賞した入賞玉によって発せられる信号に基づいて作動する電気的駆動源の駆動によって１個単位、あるいは相対的に少ない所定個数単位で景品玉を払出す景品玉払出装置を備えた弾球遊技機が市場に提供されていた。このような景品玉払出装置を有する弾球遊技機においては、遊技盤の交換により遊技内容が変化して１個の入賞玉に対応して払出される景品玉数が異なる場合に備えて、景品玉数の設定がある程度自由にでき易いように電気的駆動源によって作動される景品玉払出装置の構造となっている。このため、景品玉払出装置を駆動するために払出装置制御回路が設けられるが、この払出装置制御回路は、主として遊技盤に設けられる電気的遊技装置、例えば、可変表示装置、可変入賞球装置、入賞球装置内の可動装置、及びランプ、スピーカー等の動作を制御する遊技装置制御回路に対して全く独立した状態で制御するものであった。
　【０００３】
　【発明が解決しようとする課題】
　このため、前回の遊技内容と払出される景品玉数が異なる遊技内容を有する遊技盤を交換する際には、遊技装置制御回路基板だけを交換して払出装置制御回路基板を交換しないというミスも生じ、この場合には、交換された遊技内容において予定していない景品玉数が払出されるという問題があった。
　【０００４】
　この発明は、上記した問題点に鑑みなされたもので、その目的とするところは、遊技盤の交換の際に、遊技内容と払出景品玉数とが確実に一致する弾球遊技機を提供することにある。
　【０００５】
　【課題を解決するための手段】
　上記した目的を達成するために、この発明が採用した具体的な解決手段について図面を参照して説明する。図１、図２、図３、図６図１１に示すように、遊技盤保持枠４２に着脱自在に取付けられた遊技盤１２と、主として該遊技盤１２上に設けられた可変表示装置１５や可変入賞球装置２０等の電気的遊技装置と、
供給通路９２で待機している景品玉の玉圧を受け止める玉載置部９９に載置される景品玉を電気的駆動源としての景品玉払出モータ１０３によって回転する回転体としてのスプロケット１０５の爪部１０６で押し出すように払出し且つ払出される景品玉数を異ならせて所定個数ずつ払出す
景品玉の未払出数を前記所定個数ずつの払出の時間間隔を置くことなく連続的に払出すように
　【０００６】
　このように構成することにより、遊技盤保持枠４２から古い遊技盤１２を取り外して新たな遊技盤１２を取付けた際に、遊技盤１２の交換によって当然交換される遊技装置制御回路１６０に包含される払出装置制御部１６４，１６５も交換されるので、遊技装置制御回路１６０を交換すれば、自動的に払出装置制御部１６４，１６５も交換されることとなり、遊技内容と払出される景品玉数とが確実に一致する。
　【０００７】
　【発明の実施の形態】
　以下、図面を参照して、この発明の実施形態について説明する。まず、図１ないし図３を参照して、この実施形態が適用される弾球遊技機の一例としてのパチンコ遊技機について説明する。図１は、パチンコ遊技機の正面図であり、図２は、パチンコ遊技機の背面概略図であり、図３は、機構板を開放して遊技盤を取り外した状態を示す背面斜視図である。
　【０００８】
　図において、パチンコ遊技機１の外枠２には、額縁状の前面枠３が開閉自在に軸支され、該前面枠３には、扉保持枠４が周設され、該扉保持枠４には、ガラス板５ａ，５ｂ（図１０参照）を有するガラス扉枠５及び前面扉板６が一側を軸支されて開閉自在に取り付けられている。ガラス扉枠５の後方であって、前記前面枠３の裏面の遊技盤保持枠４２（図３参照）には、遊技盤１２が取付部材４３ａ〜４３ｃ及び固定部材４４によって着脱自在に設けられている。また、前面扉板６の表面には、排出された景品玉を貯留し、かつ打玉を発射位置に一個宛供給する打球供給皿７が固定されている。打球供給皿７の上流側には、後述する景品玉払出装置９０から払出された景品玉が流出する景品玉出口８が形成されるとともに、その下方の内部空間には、遊技に関連する効果音を発生するスピーカー９が内蔵されている。また、前面扉板６の裏面であって前記打球供給皿７の下流側には、発射位置に打玉を１個づつ供給する打球供給装置７ａ（図１０参照）が取付けられている。
　【０００９】
　前記前面枠３の下方部には、打球発射機構の一部を構成する操作ハンドル１１や、前記打球供給皿７に貯留しきれなかった景品玉を貯留するための余剰玉受皿１０が設けられている。このうち、前記操作ハンドル１１に対応するように前記前面枠３の裏面には、図２に示すように打球発射装置８５が取り付けられている。打球発射装置８５は、取付基板８６に集約して設けられ、駆動源としての打球モータ８７と、該打球モータ８７の回転により往復回動して打玉を弾発する打球杆８８と、該打球杆８８の往復回動に連動して上下動し、打球供給装置７ａの玉送り部材を動作させる玉送り摺動杆８９とから構成されている。
　【００１０】
　前記遊技盤１２の表面には、発射された打玉を誘導するための打玉誘導レール１３ａと、該打玉誘導レール１３ａによって誘導された打玉が落下するための遊技領域１４を区画する遊技領域形成レール１３ｂがほぼ円状に植立されている。遊技領域１４のほぼ中央には、複数のドラム状の可変表示部１６ａ〜１６ｃを有する可変表示装置１５が設けられている。可変表示装置１５には、後述する開閉板２２の開成回数を表示する開成回数表示器１８が設けられるとともに、該開成回数表示器１８の左右に前記可変表示部１６ａ〜１６ｃが可変表示中あるいは開閉板２２が開成中に後述する始動入賞口２６ａ〜２６ｃに打玉が入賞して記憶したことを表示（最高４個まで）する始動入賞記憶表示器１７が設けられている。更に、可変表示装置１５の最上部には、通常の入賞口１９も設けられている。なお、前記可変表示部１６ａ〜１６ｃは、それぞれに対応するドラム駆動モータ１９２ａ〜１９２ｃ（図示せず；図１１の回路図に表示）によって可変表示され、その停止時の表示態様は、ドラム位置検出器１９１ａ〜１９１ｃ（図示せず；図１１の回路図に表示）によって検出される。
　【００１１】
　前記可変表示装置１５の下方に入賞空間２１を有する可変入賞球装置２０が設けられている。入賞空間２１は、遊技盤１２の表面に対して下端を軸にして開放自在な開閉板２２によって覆われており、その内部が中央の特定入賞口２３と左右の通常入賞口２４ａ，２４ｂとの３つに区画されている。そして、可変入賞球装置２０の開閉板２２は、前記可変表示装置１５の可変表示部１６ａ〜１６ｃの識別情報の組み合せが所定の特定表示状態となったときに、特定遊技状態となり、所定期間（例えば、２０秒経過するまで、あるいは１０個の入賞玉が発生するまで）開放するように設定され、その開放している間中遊技領域１４を落下する打玉を受止めるようになっている。そして、入賞空間２１内に設けられた特定入賞口２３に入賞すると、再度上記した開放状態を繰り返し、特定入賞口２３に入賞玉が発生することを条件として最高１０回繰り返すことができるようになっている。また、入賞空間２１の下方には、開閉板２２の１回の開放中に入賞した入賞玉数を表示する入賞個数表示器２５が設けられている。また、前記開閉板２２は、図２に示すようにソレノイド３７によって駆動され、前記特定入賞口２３には、特定入賞玉検出器３８が設けられて打玉を検出するようになっている。更に、可変入賞球装置２０の入賞空間２１に入賞した全ての打玉を検出するために入賞個数検出器３９も設けられている。
　【００１２】
　また、可変入賞球装置２０の下方には、前記可変表示部１６ａ〜１６ｃの可変表示を許容する始動入賞口２６ａ〜２６ｃが設けられている。この始動入賞口２６ａ〜２６ｃのうち真ん中に設けられる始動入賞口２６ａに打玉が入賞すると、それによって払出される景品玉数は、他の入賞領域に打玉が入賞した際に払出される景品玉数よりも少なくなるように設定されている。また、始動入賞口２６ａ〜２６ｃには、図２に示すように始動入賞玉検出器４０ａ〜４０ｃが一体的に設けられ、始動入賞口２６ａ〜２６ｃに入賞した打玉を検出している。しかして、一般的に上記した始動入賞口２６ａ〜２６ｃのうち中央の始動入賞口２６ａに打玉が一番入賞し易く、次いで、左側の始動入賞口２６ｂに打玉が入賞し易く、右側の始動入賞口２６ｃが一番入賞し難い位置となっている。これは、遊技盤１２のセンターラインに大型の入賞球装置が配置されるのが一般的であるため、そのセンターの入賞球装置に打玉が誘導されるように障害釘等が植立されるためである。したがって、一番入賞し易い中央の始動入賞口２６ａに入賞した打玉によって払出される景品玉数だけを他の入賞口に入賞した打玉によって払出される景品玉数よりも少なくなるように設定している。
　【００１３】
　更に、遊技領域１４には、前記可変表示装置１５の左右側方及び下部側方に通常入賞口２７ａ，２７ｂ、２８ａ，２８ｂが設けられている。
　【００１４】
　なお、この実施形態では、始動入賞口２６ａに打玉が入賞した場合には、７個の景品玉が払出され、他の入賞領域に打玉が入賞した場合には、１３個の景品玉が払出されるようになっている。もちろん、始動入賞口２６ａに入賞する確率に応じてこれらの払出される景品玉数の設定を変えることは差し支えない。
　【００１５】
　また、遊技領域１４には、落下する打玉の流下速度や方向を変化せしめる風車や多数の障害釘が設けられるとともに、前記した特定遊技状態になったときに点灯又は点滅して遊技者にその旨を報知する遊技効果ランプ３０ａ，３０ｂが設けられている。この遊技効果ランプ３０ａ，３０ｂと同じ効果を奏するものとして前記前面枠３の上部に設けられる枠ランプ３１ａ，３１ｂがある。なお、これらにランプ類は、特定遊技状態となったときだけでなく、前記可変表示装置１５が動作しているときにも異なる態様で点灯、あるいは点滅して遊技の雰囲気を盛り上げるようになっている。更に、遊技領域１４の最下方には、上記したいずれの入賞領域にも入賞しなかった打玉が遊技盤１２の後方に導かれるアウト口２９が設けられている。
　【００１６】
　また、遊技領域１４の外側であって、遊技盤１２の一側（図示左側）上部には、後述する玉整列樋６２上に景品玉が不足してきたことを報知する玉切れ表示ランプ３３と１個の入賞玉に対応する景品玉が払出されたことを報知する払出表示ランプ３２とが設けられ、他側上部（図示右側）には、未払いの景品玉数を表示する払出未処理玉数表示器３４が設けられている。
　【００１７】
　次に、図２を参照してパチンコ遊技機１の背面の構造について説明する。前記遊技盤１２の裏面には、前記各入賞領域に入賞した入賞玉を左右に振分けながら下方に誘導する誘導径路が形成された入賞玉集合カバー体３５ａ，３５ｂが固定されている。この入賞玉集合カバー体３５ａ，３５ｂは、上下２つに分割されて固定されるが、上部の入賞玉集合カバー体３５ａのほぼ中央には、前記可変表示装置１５の駆動機構を収納する駆動部収納ボックスが後方に突出するように開口が開設され、更に、その下方には、可変入賞球装置２０の開閉板２２を開閉駆動するためのソレノイド３７が固定されている。なお、可変入賞球装置２０の裏側には、前記特定入賞口２３に打玉が入賞したことを検出する特定入賞玉検出器３８や、前記入賞空間２１に入賞した入賞玉を計数するための入賞個数検出器３９も設けられている。また、前記入賞玉集合カバー体３５ａの裏面上部には、遊技盤１２に設けられる前記したスイッチやランプ及び駆動源等から延びる配線を中継する中継端子基板３６が取り付けられている。
　【００１８】
　また、前記中央の始動入賞口２６ａに対応する位置に下部の入賞玉集合カバー体３５ｂを前後方向に貫通する誘導部材４１が設けられている。誘導部材４１は、始動入賞口２６ａに入賞した打玉を入賞玉集合カバー体３５ｂの後方へ誘導するとともに、後述する第２の入賞玉集合樋５８に落下させるようになっている。
　【００１９】
　ところで、遊技盤１２は、前記したように遊技盤保持枠４２によって着脱自在に保持されるが、ここで図３を参照して遊技盤保持枠４２の構造について説明すると、遊技盤保持枠４２は、下方の支持板部４５ａと該支持板部４５の両端部から立上がる枠部４５ｂとが合成樹脂によって一体的に形成され、枠部４５ｂに形成された収容段部４７に前記遊技盤１２を収納するようになっている。また、枠部４５ｂの左右には、遊技盤１２の後面を押圧して遊技盤１２を収容段部４７に固定する取付部材４３ａ〜４３ｃが回動自在に設けられている。なお、図示の実施形態においては、遊技盤１２の下方を押圧固定するために支持板部４５ａの中央にも固定部材４４が設けられている。また、前記収容段部４７には、位置決め突起４８ａ，４８ｂが上下に突設され、その位置決め突起４８ａ，４８ｂに遊技盤１２に穿設した位置決め孔５１ａ，５１ｂを嵌合させることにより遊技盤１２の正確な取付位置を規制している。
　【００２０】
　なお、前記支持板部４５ａの一側上部には、前記景品玉出口８に対応する連通口４６が突設して設けられ、この連通口４６に対応するように遊技盤１２の一側下方が切り欠けられているので、この点からも遊技盤１２の正確な取付位置が規制される。また、枠部４５ｂ及び支持板部４５ａの一側上下には、後述する機構板５３を着脱開閉自在に軸支するための機構板軸支部材４９ａ，４９ｂが固定されている。更に、枠部４５ｂ及び支持板部４５ａの適宜位置には、機構板５３に設けられる固定部材５４ａ〜５４ｃと係合して機構板５３を固定する固定具５０ａ〜５０ｃが取付けられている。
　【００２１】
　一方、遊技盤保持枠４２に固定される遊技盤１２には、前記したように位置決め孔５１ａ，５１ｂが穿設されるとともに、前記取付部材４３ａ〜４３ｃに対応する位置に金属製の保護板５２ａ〜５２ｃが取着されている。この保護板５２ａ〜５２ｃは、取付部材４３ａ〜４３ｃの締付け機能を長期的に保持するために設けられるものである。なお、上記実施形態における遊技盤保持枠４２は、遊技盤１２を収納するような構造にしたが、その構造は、遊技盤１２が着脱自在に固定されるものであればどのようなものでもよく、又、機構板５３も着脱自在でれば、必ずしも開閉自在でなくてもよい。
　【００２２】
　また、パチンコ遊技機１の背面には、機構板５３が開閉自在に取付けられている。この機構板５３は、前記遊技盤１２に設けられた入賞口からの入賞玉を処理して、その入賞玉に対応する所定個数の景品玉を排出するための各種の機構が設けられるものである。しかして、機構板５３には、前記したように機構板５３を閉じた状態で係止する固定部材５４ａ〜５４ｃによって前記遊技盤保持枠４２に固定支持されるようになっている。
　【００２３】
　更に、機構板５３のほぼ中央には、窓開口５５が開設され、この窓開口５５の下方位置の仕切壁５６の前後に第１の入賞玉集合樋５７と第２の入賞玉集合樋５８が形成されている。第１の入賞玉集合樋５７は、前記した各種の入賞口のうち始動入賞口２６ａを除く入賞口に入賞した入賞玉が誘導されるもので、機構板５３の前面側に形成される。また、第２の入賞玉集合樋５８は、始動入賞口２６ａだけに対応するもので、始動入賞口２６ａに入賞した入賞玉を誘導するものである。なお、第２の入賞玉集合樋５８は、窓開口５５の下縁である前記仕切壁５６に沿って機構板５３の後面側に形成されるものである。第１の入賞玉集合樋５７及び第２の入賞玉集合樋５８に誘導された入賞玉は、その流下末端に設けられる第１の入賞玉検出器５９及び第２の入賞玉検出器６０によってそれぞれ検出される。第１の入賞玉検出器５９によって検出された検出信号は、記憶され、その検出信号数に「１３」を掛けた数の景品玉が払出される。また、第２の入賞玉検出器６０によって検出された検出信号も記憶され、その検出信号数に「７」を掛けた数の景品玉が払出される。
　【００２４】
　機構板５３の後面側には、パチンコ遊技機設置台の図示しない補給機構から補給される景品玉を遊技者に払い出すための各種の機構が設けられている。これらの機構について、以下説明すると、機構板５３の上部には、景品玉タンク６１が固定されている。この景品玉タンク６１には、上記した補給機構から多量の景品玉が補給されるようになっている。
　【００２５】
　景品玉タンク６１の下方には、景品玉を整列させるための玉整列樋６２が設けられている。この玉整列樋６２は、景品玉が２列に整列して自然流下するように傾斜して取り付けられる。また、玉整列樋６２の上流側底面には、景品玉量感知板６３が揺動自在に設けられ、景品玉が載置していないときに揺動してその下方に設けられる検出器６４ａ，６４ｂをＯＮさせる。検出器６４ａは、前記玉切れ表示ランプ３３に接続されており、これが作動することにより景品玉タンク６１及び玉整列樋６２に景品玉が不足してきたことを遊技者に報知するようになっている。また、検出器６４ｂは、図示しない管理コンピュータと接続され、これが作動することにより前記した図示しない補給機構から景品玉タンク６１に景品玉の補給指令を行うものである。更に、景品玉量感知板６３には、リンク機構６５ａ，６５ｂを介して打球発射位置へ打球を供給する打球供給装置７ａに連動しており、これがため、景品玉量感知板６３が揺動することにより打球の供給が停止され、遊技を中断するようになっている。この遊技を中断させる制御は、必ずしも必要なものではないが、この制御を行う場合、遊技の中断は、景品玉が景品玉タンク６１に補給されることにより解除される。なお、パチンコ遊技機１が打ち止め状態となったときには、前記検出器６４ｂの信号があっても景品玉の補給は、行われないようにされている。
　【００２６】
　玉整列樋６２の下流側は、２列になって流下してきた景品玉を１列に整流させるようになっているとともに、その末端に屈曲樋６６が接続されるように取り付けられている。この屈曲樋６６は、玉整列樋６２を流下してきた景品玉の流下方向を１８０度転換させるとともに、連続して流下している景品玉の玉圧を弱めるためにある。また、屈曲樋６６の下流側は、垂直樋６７となっているが、その垂直樋６７の直前の水平部分には、「く」字状に形成された玉欠乏感知レバー６８が揺動自在に設けられている。この玉欠乏感知レバー６８は、景品玉が載置しているときには、その後端が跳ね上げられて、その後端と当接する玉切れ検出器６９のアクチュエータを押圧しているが、景品玉が欠乏すると、その後端が垂下して玉切れ検出器６９のアクチュエータの押圧を解除する。そして、玉切れ検出器６９のアクチュエータが押圧されない状態になると、後述する景品玉払出装置９０の景品玉払出モータ１０３（ステッピングモータで構成される）の駆動が停止され、景品玉の払出動作が停止されるようになっている。なお、パチンコ遊技機１が打ち止め状態となった後に前記玉切れ検出器６９がＯＦＦとなったときに入賞玉の記憶がある場合、すなわち未だ払出されていない景品玉があるときには、その景品玉の払出が終了するまで景品玉タンク６１に景品玉を補給するようにしてもよい。
　【００２７】
　更に、屈曲樋６６の屈曲部には、営業終了時等に景品玉タンク６１及び玉整列樋６２に残留している景品玉を抜出す玉抜装置７０が設けられ、該玉抜装置７０が作動されたときに前記屈曲部に連接するように形成された玉抜通路７１を介して、景品玉がパチンコ遊技機１外に排出されるようになっている。
　【００２８】
　屈曲樋６６の下流側には、景品玉払出装置９０が接続されている。景品玉払出装置９０は、屈曲樋６６から誘導される景品玉を１個単位で払出すもので前記第１の入賞玉検出器５９及び第２の入賞玉検出器６０の検出信号に基づいて、算出される景品玉を連続的に払出すようになっている。なお、景品玉払出装置９０の構造については、後に詳述する。
　【００２９】
　景品玉払出装置９０から払出された景品玉は、景品玉放出通路７２に排出される。景品玉放出通路７２には、その下端に誘導開口７３が開設され、この誘導開口７３が前記打球供給皿７に連通している。また、誘導開口７３の一側には、余剰玉通路７５と連絡するための連絡樋７４が設けられ、余剰の景品玉を余剰玉通路７５に誘導するようになっている。この余剰玉通路７５は、その下端が前面枠３の裏面に取付られる接続樋８０に接続され、余剰の景品玉を前記余剰玉受皿１０に誘導するようになっている。
　【００３０】
　また、余剰玉通路７５の一側側壁には、第１満タン感知板７６が下端を中心にして揺動自在に設けられている。しかして、第１満タン感知板７６は、景品玉によって余剰玉通路７５内が満杯になったときに該景品玉に押圧されて揺動し、スライド線杆７７を介して前記した打球供給装置７ａの玉送り部材の動作を固定して打玉を打球発射位置に供給しないようしている。また、前記連絡樋７４の上流側にも第２満タン感知板７８が上端を中心に揺動自在に設けられ、この第２満タン感知板７８の対向する位置に満タン検出器７９が設けられている。そして、第２満タン感知板７８が揺動されたときに満タン検出器７９がＯＮとなり、前記景品玉払出装置９０の景品玉払出モータ１０３の駆動を停止させるようになっている。したがって、払出された景品玉が余剰玉通路７５に充満すると、まず第１満タン感知板７６が動作して打球の弾発ができなくなり、その後記憶された入賞玉に基づいて払出された景品玉が連絡樋７４にも充満すると、第２満タン感知板７８が動作して景品玉の払出も行われなくなる。なお、前記第１満タン感知板７６がないものであってもよい。
　【００３１】
　更に、機構板５３には、前記アウト口２９から排出されるアウト玉を誘導するアウト玉誘導樋８１が取り付けられ、このアウト玉誘導樋８１に誘導されたアウト玉がその流下端であるアウト玉放出口８２から前記玉抜通路７１と合流してパチンコ遊技機１外に排出されるようになっている。また、機構板５３には、前記景品玉払出装置９０からの配線及び前記満タン検出器７９等の配線を中継する中継端子基板８３や、前記可変表示装置１５及び可変入賞球装置２０を制御する遊技装置制御回路や後述する景品玉払出装置９０を制御する払出装置制御回路を含む回路基板を収納する回路基板収納ケース１１０や、パチンコ遊技機１の電源を供給するためのターミナルボックス８４が取り付けられている。
　【００３２】
　次に、図４ないし図６を参照して前記景品玉払出装置９０の構造について説明する。景品玉払出装置９０は、図４に示すように、前記機構板５３に取り付ける取付板９１と、電気的駆動源としての景品玉払出モータ１０３を取り付けるモータ取付板９７によって構成される。取付板９１には、前記垂直樋６７に連続する供給通路９２が形成され、該供給通路９２の下流側に景品玉の方向を後述する玉載置部９９に向けて変化させる流路変更部９３（図６参照）が形成されている。流路変更部９３のさらに下方には、供給通路９２の最先端のパチンコ玉の下部１点を支持する玉支持部１０１ｂが形成され、該玉支持部１０１ｂの下方に、スプロケット１０５が収納されるスプロケット収納部９４が形成されている。また、スプロケット収納部９４の一側には、景品玉の排出通路９５も形成されている。排出通路９５の上流部には、スプロケット１０５によって押出されて払出される景品玉を検出する払出景品玉検出器９６（例えば、近接スイッチ）が設けられている。
　【００３３】
　一方、モータ取付板９７の上部には、前記供給通路９２を流下してきたパチンコ玉を下方に向けてガイドするガイド部９８が突設され、このガイド部９８の下方にパチンコ玉１個が載置される玉載置部９９が構成されている。玉載置部９９は、前記ガイド部９８の下部側面に形成された玉受壁１００と、該玉受壁１００の下方であって、前記玉支持部１０１ｂと対応するように位置してパチンコ玉の他方の下部１点を支持する玉支持部１０１ａと、パチンコ玉の一方の下部１点を支持する前記玉支持部１０１ｂとから構成されている。つまり、玉載置部９９は、供給通路９２で待機している景品玉の玉圧を受け止める機能と、最先端のパチンコ玉の下部を２点で支持する機能を有するものである。なお、モータ取付板９７及び取付板９１には、それぞれの玉支持部１０１ａ，１０１ｂから排出通路９５に向けて円弧状のガイドリブ１０２ａ，１０２ｂ（１０２ａは図示せず）が突設され、玉載置部９９に載置されていたパチンコ玉が排出通路９５に排出されるまでの間、その流下をガイドするようになっている。
　【００３４】
　また、モータ取付板９７の後面には、パルス信号がある毎に所定角度回転するステッピングモータからなる景品玉払出モータ１０３が取り付けられ、そのモータ軸１０４は、モータ取付板９７の前面に貫通して位置し、その先端には、外周に複数の爪部１０６を有するスプロケット１０５が固着されている。スプロケット１０５の爪部１０６は、パチンコ玉の外周面と係合するように凹状に形成されており、その爪部１０６が前記玉支持部１０１ａ，１０１ｂの間に挿入された位置配置となっている。このとき、図６に示されるように、爪部１０６の凹状の低部が玉支持部１０１ａ，１０１ｂより低い位置となっているので、玉載置部９９に載置されているパチンコ玉は、玉支持部１０１ａ，１０１ｂで支持された状態となり、スプロケット１０５には、玉圧が掛からないようになっている。なお、景品玉払出モータ１０３は、ステッピングモータでなく通常のモータであってもよい。
　【００３５】
　上記した景品玉払出装置９０の近傍には、中継端子基板１０７が設けられ、この中継端子基板１０７に前記払出景品玉検出器９６及び景品玉払出モータ１０３が接続されている。また、中継端子基板１０７には、中継端子（雄型コネクタ）１０８ａ，１０８ｂが設けられ、この中継端子１０８ａ，１０８ｂと前記回路基板収納ケース１１０内に収納される回路基板１４１に構成される払出装置制御回路用の雄型コネクタ１４３とが接続部材である配線１５６によって接続される。また、中継端子基板１０７には、前記回路基板１４１に設けられる記憶手段（この場合、後述するＲＡＭ１６３）に記憶されている入賞玉に関連する情報の記憶値をリセットするリセットスイッチ１５０が設けられている。これは、打ち止め状態となって遊技機の機能が停止した後、再度遊技機の打ち止め状態を解除しようとしたときに、数値情報が記憶手段に残留していると、その情報に基づいて景品玉が払出されてしまうため、これを防止するために設けられるものである。したがって、遊技機の打ち止めを解除しようとする場合には、遊技場の店員が前面枠３を開放してリセットボタン１５０を押圧する必要がある。
　【００３６】
　なお、景品玉払出装置としては、電気的駆動源によって作動され、且つ払出数が変更可能であればよく、例えば、ソレノイドでスプロケットのロックを外して自然落下で景品玉の払出制御する形式のものや、ソレノイドの作動で相対的に少ない（例えば、２〜３個）景品玉を収納する収納部を駆動させて払出す形式のものや、払出数を変更するストッパーをソレノイドで駆動して払出す形式のものでもよい。
　【００３７】
　ところで、上記した中継端子基板１０７及び前記入賞玉集合カバー体３５ａに設けられる中継端子基板３６と接続部材（配線１５６）で接続される回路基板１４１が収納される回路基板収納ケース１１０は、前記したように機構板５３の裏面に取付けられるが、この構造について図７ないし図１０を参照して説明する。
　【００３８】
　まず、図７において、回路基板収納ケース１１０は、機構板５３の裏面にビスで固定された上部取付部材１１２と下部取付部材１１５によって簡単に着脱自在に取付けられるようになっている。上部取付部材１１２は、機構板５３に突設された上部取付部１１１に固定されるが、その前面に弾性止め具１１３が固定されている。この弾性止め具１１３は、後述する係止曲折片１３５ａと弾性的に係合するようになっている。また、上部取付部材１１２の一側下辺に係合部１１４が形成され、この係合部１１４に後述するビス１２８ａが嵌入されて回路基板収納ケース１１０の上部位置を規制する。一方、前記下部取付部材１１５には、係止溝１１６が形成され、この係止溝１１６に後述する係止曲折片１３５ｂが嵌込まれて回路基板収納ケース１１０を支持する。また、係止溝１１６の一側には、規制片１１７が形成され、前記係止曲折片１３５ｂの端部と当接して回路基板収納ケース１１０の下部位置を規制する。
　【００３９】
　上部取付部材１１２及び下部取付部材１１５は、上記のような構造となっているので、まず、回路基板収納ケース１１０を取り外す場合には、上部取付部材１１２の弾性止め具１１３を持ち上げながら回路基板収納ケース１１０を手前側に引き、係止曲折片１３５ａと弾性止め具１１３との係合を解除した後、回路基板収納ケース１１０を持ち上げることにより他方の係止曲折片１３５ｂを係止溝１１６から抜出すことにより簡単に取り外すことができる。逆に回路基板収納ケース１１０を取付ける場合には、まず、他方の係止曲折片１３５ｂを係止溝１１６に差し込み、それと同時に係止曲折片１３５ｂの端部を規制片１１７と当接するまで移動させ（図７で右方向に移動させる）、その後、回路基板収納ケース１１０の上部を押圧して弾性止め具１１３と係止曲折部１３５ａとを係合させる。このとき、ビス１２８ａが係合部１１４に案内係合されるようになっている。この動作によって回路基板収納ケース１１０が簡単に取付けられる。なお、回路基板収納ケース１１０の取付方法は、上記実施形態に限定されず、少なくとも着脱可能に構成されていれば、どのような方法であってもよい。また、その設置場所も機構板５３の裏面側に限らず、例えば入賞玉集合カバー体３５ａ，３５ｂの裏面側に設けられたものでもよい。
　【００４０】
　次に、回路基板収納ケース１１０の構成について主として図８を参照して説明すると、回路基板収納ケース１１０は、下方及び一側前方が開放した箱枠状の第１分割体１１８と、ほぼ平板状の第２分割体１３２とから構成され、第２分割体に遊技装置制御回路及び払出装置制御回路が形成された回路基板１４１が固定され、その上方から第１分割体１１８で被覆する形で回路基板１４１が収納されるようになっている。
　【００４１】
　前記第１分割体１１８は、上面板１１９と該上面板１１９から下方に曲折された側面板１２０ａ〜１２０ｃとから構成され、それぞれに回路基板１４１が作動することによって発生する熱を外部に放出する放熱穴１２１が形成されている。また、前方の開口部にも上面板１１９から下方に曲折する短い曲折部１２２が形成されている。更に、前記側面板１２０ａ〜１２０ｃのうち左右の側面板１２０ａ，１２０ｂは、前方に延設された形で突設され、その先端に内側に向う曲折部１２３ａ，１２３ｂが形成されている。そして、この曲折部１２３ａ，１２３ｂに係合穴１２４ａ，１２４ｂが穿設されている。係合穴１２４ａ，１２４ｂは、第２分割体１３２の後述する係合片１３８ａ，１３８ｂが差し込まれて第１分割体１１８と第２分割体１３２の前方部分を結合させるものである。
　【００４２】
　一方、前記側面板１２０ａ，１２０ｂの後方には、取付穴１２７ａ，１２７ｂ（ただし、１２７ａは、図示せず）が形成され、この取付穴１２７ａ，１２７ｂを第２分割体１３２の後述する取付穴１３６ａ，１３６ｂに対応させてビス１２８ａ，１２８ｂ（ただし、１２８ａは、図示せず）で螺着することにより第１分割体１１８と第２分割体１３２の後方部分を結合させるものである。なお、ビス１２８ａ，１２８ｂを螺着した後には、いずれか一方、又は両方のビス１２８ａ，１２８ｂの上から封印紙１２９を貼付することにより、不正に制御回路を改造できないようにしてもよい。この場合、封印紙２９の材質としては、開封した場合に、その一部が残留するようなものが好適であり、また、その図柄も真似のできないものが好ましい。
　【００４３】
　前記曲折部１２２と側面板１２０ａ，１２０ｂの延設部とで配線引出開口１２５が形成され、この配線引出開口１２５の上部及び一側側面を囲むようにカバー部材１２６が被覆される。そして、他側の開口から接続部材としての配線１５６が外部に引出されるようになっている。なお、カバー部材１２６は、配線１５６の先端である雌型コネクタ１５５を回路基板１４１の後述する雄型コネクタ１４３に差し込んだ後に、取付穴１３０を介してビス１３１で第１分割体１１８に固定されるようになっている。
　【００４４】
　前記第２分割体１３２は、上面板１３３と、該上面板１３３の両サイドから下方に僅かに曲折される側面板１３４ａ，１３４ｂと、該側面板１３４ａ，１３４ｂから外側に曲折される係止曲折片１３５ａ，１３５ｂとから構成される。係止曲折片１３５ａ，１３５ｂは、前記したように上部取付部材１１２及び下部取付部材１１５と係合して回路基板収納ケース１１０を機構板５３に係止するためのものである。また、側面板１３５ａ，１３５ｂの後部には、前記取付穴１２７ａ，１２７ｂに対応する取付穴１３６ａ，１３６ｂ（ただし、１３６ａは、図示せず）が形成される。また、上面板１３３の前方には、上方向に曲折される立上がり側面板１３７が形成され、この立上がり側面板１３７の両端には、前記係合穴１２４ａ，１２４ｂと係合する係合片１３８ａ，１３８ｂが突設されている。
　【００４５】
　また、上面板１３３の前方には、取付片１３９ａ，１３９ｂが突設され、後方には、係止片１４０ａ，１４０ｂが突設されている。この取付片１３９ａ，１３９ｂ及び係止片１４０ａ，１４０ｂは、上面板１３３のやや内側に位置するように突設されるとともに、回路基板１４１を載置するような構造となっている。すなわち、回路基板１４１の四隅に穿設された取付穴１４４ａ〜１４４ｄのうち、後方に穿設された取付穴１４４ｃ，１４４ｄを係止片１４０ａ，１４０ｂに載置して係止させた後、前方に穿設された取付穴１４４ａ，１４４ｂを取付片１３９ａ，１３９ｂに載置してビス１４５で螺着することにより回路基板１４１を第２分割体１３２に固定することができる。なお、回路基板１４１は、ＬＳＩ、コンデンサー、抵抗等の電気部品１４２が実装されたプリント配線基板で構成されるが、少なくとも前記配線引出開口１２５に対応する位置に外部に接続される配線１５６の雌型コネクタ１５５と連結される雄型コネクタ１４３が位置するように構成されなければならない。なお、回路基板１４１の詳細な構成は、後に詳述する。
　【００４６】
　上記のように構成される回路基板収納ケース１１０を組み立てるには、まず回路基板１４１の取付穴１４４ｃ，１４４ｄを係止片１４０ａ，１４０ｂに載置して係止し、その後、取付穴１４４ａ，１４４ｂを取付片１３９ａ，１３９ｂに載置してビス１４５で螺着することにより回路基板１４１を第２分割体１３２に固定する。そして、その後、第１分割体１１８の係合穴１２４ａ，１２４ｂを第２分割体１３２の係合片１３８ａ，１３８ｂに差し込み、取付穴１２７ａ，１２７ｂを取付穴１３６ａ，１３６ｂに対応させてビス１２８ａ，１２８ｂで螺着することにより第１分割体１１８と第２分割体１３２とを固定する。このような状態で、配線１５６の雌型コネクタ１５５を回路基板１４１の雄型コネクタ１４３に差し込み、その後、カバー部材１２６をビス１３１で固定することにより回路基板収納ケース１１０を完成することができる。なお、封印紙１２９は、完成した後に貼付すればよい。
　【００４７】
　上記したように、この実施形態においては、回路基板１４１を第２分割体１３２に固定する際、及び第１分割体１１８と第２分割体１３２を連結する際にも、前方又は後方のいずれか一方を係止又は係合させ、その後、いずれか他方をビスで螺着することにより確実に固定することができ、前方及び後方にすべてを固定する方法に比較して極めて簡単に相互の部材を固定することができる。
　【００４８】
　ところで、前記回路基板１４１は、図９にその詳細が示されているが、回路基板１４１の表面及び裏面の周囲には、グランドライン１４６が形成されている。このグラインドライン１４６は、前記一方の取付穴１４４ｃ，１４４ｄにおいて係止片１４０ａ，１４０ｂと導通しないように切欠部１４８が設けられ、前記他方の取付穴１４４ａ，１４４ｂにおいては、ビス１４５を螺着したときに第２分割体１３２と導通するように延在部１４７が形成されている。これによりグランドライン１４６と回路基板収納ケース１１０全体とが導通するようになっている。また、表面及び裏面に形成されたグラインドライン１４６は、多数の導通部１４９を介して相互に導通しており、これにより例えば、機構板５３と第２分割体との間で放電が生じ、その放電電圧が取付穴１４４ａ，１４４ｂに取付けられるビス１４５を介して回路基板１４１に流れ込んでも、その電流は、何度も導通部１４９を潜り抜けてグラインドライン１４６の表面と裏面とを巡回し、後述するＭＰＵ１６１、ＲＡＭ１６３、ＲＯＭ１６２に到達するまで長い距離を通るので、その間に電圧降下が生じて放電によるノイズからＭＰＵ１６１、ＲＡＭ１６３、ＲＯＭ１６２の誤動作を防止するものである。なお、前記グラインドライン１４６とＭＰＵ１６１、ＲＡＭ１６３、ＲＯＭ１６２、電気部品１４２等の電源入力部との間には、バイパスコンデンサ（電界コンデンサ、例えばタンタルコンデンサとノンポーラコンデンサとで構成される周知のもの）１５１が設けられて、ノイズ防止が図られ、また、ＭＰＵ１６１、ＲＡＭ１６３、ＲＯＭ１６２は、グラインドライン１４６と回路基板収納ケース１１０との接点である前記取付穴１４４ａ，１４４ｂから最も遠い位置に配置されるようになっている。また、前記景品玉払出装置９０近傍の中継端子基板１０７に設けたリセットスイッチ１５０も回路基板１４１上に設けてもよい。
　【００４９】
　上記のような構造を有する回路基板収納ケース１１０を機構板５３の裏面に取付けると、図１０に示すように、機構板５３と第２分割体１３２の上面板１３３との間に第１空間１５２が形成され、第２分割体１３２の上面板１３３と回路基板１４１との間に第２空間１５３が形成され、回路基板１４１と第１分割体１１８の上面板１１９との間に第３空間１５４がそれぞれ形成される。しかして、第１空間１５２があるため、機構板５３で発生する静電気等が回路基板収納ケース１１０に伝達されにくく、また、第２空間１５３と第３空間１５４とでは、空間の容量が異なるため、空間内の空気の暖まる速度が異なり、その温度差で第２空間１５３と第３空間１５４とを連通するように対流が生じ、この対流によって発生した熱を効果的に放熱穴１２１から放熱することができる。また、上記した回路基板１４１は、１組のＭＵＰ１６１、ＲＯＭ１６２、ＲＡＭ１６３で遊技装置制御回路と払出装置制御回路を構成するものを示したが、それぞれの制御回路に対応してＭＰＵ、ＲＯＭ、ＲＡＭ等を形成し、必要に応じて内部的に接続して１つの回路基板収納ケース１１０に納めてもよく、また、それぞれの制御回路毎に回路基板を構成し、その２つの回路基板を１つの回路基板収納ケース１１０に納めてもよい。要は、回路基板の構成がどのようなものであっても、１つの回路基板収納ケース１１０に納めてあればよい。
　【００５０】
　以上、説明した回路基板１４１に形成される制御回路を示すと図１１のように表わされる。図１１は、ブロック構成によって示される回路図であって、制御中枢としてのマイクロコンピュータ１６０を含む。マイクロコンピュータ１６０は以下に述べるようなパチンコ遊技機１の全体の動作を制御する機能を有する。このために、マイクロコンピュータ１６０は、たとえば、数チップのＬＳＩで構成されており、その中には制御動作を所定の手順で実行することのできるＭＰＵ１６１と、ＭＰＵ１６１の動作プログラムデータを格納するＲＯＭ１６２と、必要なデータの書込みおよび読出しができるＲＡＭ１６３とを含む。更に、マイクロコンピュータ１６０は、入力信号を受けてＭＰＵ１６１に入力データを与える入力回路１６４と、ＭＰＵ１６１からの出力データを受けて外部に出力する出力回路１６５と、ＭＰＵ１６１から音データを受けるサウンドジェネレータ１６６と、電源投入時にＭＰＵ１６１にリセットパルスを与えるパワーオンリセット回路１６７と、ＭＰＵ１６１にクロック信号を与えるクロック発生回路１６８と、クロック発生回路１６８からのクロック信号を分周してリセットパルスを定期的にＭＰＵ１６１に与えるパルス分周回路（定期リセット回路）１６９と、ＭＰＵ１６１からのアドレスデータをデコードするアドレスデコード回路１７０を含む。ＭＰＵ１６１はパルス分周回路１６９から定期的に与えられる割込パルスに応じて、割込制御ルーチンの動作を実行することが可能となる。またアドレスデコード回路１７０はＭＰＵ１６１からのアドレスデータをデコードし、ＲＯＭ１６２、ＲＡＭ１６３、入力回路１６４、出力回路１６５、サウンドジェネレータ１６６にそれぞれチップセレクト信号を与える。なお、この実施形態では、ＲＯＭ１６２は、その内容の書き換え、すなわち必要が生じた場合には、その中に格納されたＭＰＵ１６１のためのプログラムデータを変更することができるようにプログラマブルＲＯＭが用いられる。そしてＭＰＵ１６１はＲＯＭ１６２内に格納されたプログラムデータに従って、かつ以下に述べる各制御信号の入力に応答して、可変表示装置１５、可変入賞球装置２０、景品玉払出装置９０等に対して制御信号を与える。
　【００５１】
　マイクロコンピュータ１６０には、入力信号として、次のような信号が与えられる。まず、始動入賞口２６ａ〜２６ｃのそれぞれに対応して設けられた始動入賞玉検出器４０ａ〜４０ｃの検出信号は検出回路１７１に与えられ、マイクロコンピュータ１６０に始動入賞玉検出信号が与えられる。特定入賞玉検出器３８で検出された検出信号は検出回路１７２に与えられ、繰返し判定信号としてマイクロコンピュータ１６０に与えられる。入賞個数検出器３９で検出された検出信号は検出回路１７３に与えられ、入賞玉数計数信号としてマイクロコンピュータ１６０に与えられる。可変表示装置１５内に設けられるドラム位置検出器１９１ａ〜１９１ｃの検出信号は検出回路１７４に与えられ、マイクロコンピュータ１６０に各ドラムの絶対位置を判定するためのステップカウンタをリセットするための信号として与えられる。入賞玉検出器５９（以下、入賞玉検出器Ａという）及び入賞玉検出器６０（以下、入賞玉検出器Ｂという）の検出信号は、検出回路１７５に与えられ、得点信号としてマイクロコンピュータ１６０に与えられる。払出景品玉検出器９６の信号は、検出回路１７６に与えられ、遊技者に払出された景品玉数信号としてマイクロコンピュータ１６０に与えられる。玉切れ検出器６９の信号は、検出回路１７７に与えられ、景品玉払出モータ１０３の停止信号としてマイクロコンピュータ１６０に与えられる。満タン検出器７９の信号は、検出回路１７８に与えられ、景品玉払出モータ１０３の停止信号としてマイクロコンピュータ１６０に与えられる。また、リセットスイッチ１５０の検出信号は、検出回路１８７に与えられ、ＲＡＭ１６３内に記憶された入賞玉数に関連する数値情報をリセットするリセット信号としてマイクロコンピュータ１６０に与えられる。
　【００５２】
　また、マイクロコンピュータ１６０は以下の回路又は装置に制御信号を与える。まず、モータ駆動回路１７９を介して景品玉払出モータ１０３に駆動信号を与える。セグメントＬＥＤ駆動回路１８０を介して払出未処理玉数表示器３４に表示駆動信号を与える。ランプ駆動回路１８１を介して払出表示ランプ３２又は玉切れ表示ランプ３３に点灯信号を与える。モータ駆動回路１８２を介して可変表示装置１５の可変表示部１６ａ〜１６ｃを回転させるドラム駆動モータ１９２ａ〜１９２ｃ（ステッピングモータ）に駆動信号を与える。ランプ駆動回路１８３を介して遊技効果ランプ３０ａ，３０ｂ及び枠ランプ３１ａ，３１ｂに点灯、あるいは点滅信号を与える。ＬＥＤ駆動回路１８４を介して始動入賞記憶表示器１７又は入賞個数表示器２５に点灯信号を与える。セグメントＬＥＤ駆動回路１８５を介して開成回数表示器１８に表示駆動信号を与える。ソレノイド駆動回路１８６を介して可変入賞球装置２０の開閉板２２のソレノイド３７に駆動信号を与える。更に、アンプ１８８を介してスピーカー９から効果音を報知させる。なお、上記構成の各回路には、電源回路１８９から所定の直流電圧が供給されるが、この電源回路１８９には、図９に示すようにノイズを減少させるためにチョークコイル１９０が設けられている。
　【００５３】
　次に、図１２ないし図１４を参照して、上記制御回路の具体的な動作について説明する。まず、図１２には、実施形態の動作の全体を示すメインルーチンが表わされている。まず、電源が投入されると、マイクロコンピュータ１６０は、ＲＡＭ１６３内にエラーが生じているか否かを判別し（ステップＳ１）、ＲＡＭエラーがあると判別した場合には、初期データをセットする（ステップＳ２）。なお、ステップＳ１の処理は、常に行われているので、マイクロコンピュータのプログラム暴走時にもエラー判定がなされ、ステップＳ２の初期データがセットされる。更に、ステップＳ１においてエラー判定されなかった場合や、ステップＳ２で初期データがセットされた場合には、複数ある入賞玉検出器に不正や故障等が生じたときにセットされるアラームフラグがセットされているか否かが判別され（ステップＳ３）、アラームフラグがセットされていないと判別された場合には、遊技を制御するためのゲーム制御処理が行われる（ステップＳ４）。次いで、ステップＳ３でアラームフラグがセットされていると判別された場合や、ステップＳ４でゲーム制御処理が行われた後には、この実施形態の要部であるゲーム制御処理によって発生した得点に基づく景品玉払出制御処理が行われる（ステップＳ５）。上記ゲーム制御処理及び景品玉払出制御処理で処理されたデータを出力した（ステップＳ６）後、パルス分周回路１６９からの定期リセット信号待ちをし、リセット信号があった場合には、再度、上記したステップＳ１からの処理を繰り返す。したがって、メインルーチンは、パルス分周回路１６９から発生するリセット信号がある毎に１回行われる。そして、一般的にパルス分周回路１６９からは、４ｍｓｅｃ毎に１回のリセット信号が発生されるので、メインルーチンは、４ｍｓｅｃに１回行われることになる。
　【００５４】
　ところで、前記ステップＳ４のゲーム制御処理の内容は、図１３に示される通りである。すなわち、遊技に関連した音・ランプコントロール処理が行われる（ステップＳ７）。次いで、始動入賞記憶・入賞個数・開成回数等の表示器のコントロール処理が行われ（ステップＳ８）、その後、特定入賞玉検出器３８及び入賞個数検出器３９の故障等により、Ｖ・１０アラームフラグがセットされているか否かが判別され（ステップＳ９）、セットされていれば、遊技を中断すべく以下のステップＳ１０〜ステップＳ１４の処理をすることなく、ステップＳ１５に進む。一方、Ｖ・１０アラームフラグがセットされていないと判別された場合には、可変表示装置１５のドラム駆動モータ１９２ａ〜１９２ｃのコントロール処理が行われ（ステップＳ１０）、可変入賞球装置２０の開閉板２２のソレノイド３７のコントロール処理が行われ（ステップＳ１１）、各検出器、すなわち、特定入賞玉検出器３８、始動入賞玉検出器４０ａ〜４０ｃ、及びドラム位置検出器１９１ａ〜１９１ｃの動作をチェックするチェック処理が行われる（ステップＳ１２〜ステップＳ１４）。そして、その後、入賞個数検出器３９の動作をチェックするチェック処理が行われて（ステップＳ１５）、ゲーム制御処理が終了し、サブルーチンに戻る。
　【００５５】
　また、前記ステップＳ５の景品玉払出制御処理の内容は、図１４に示される通りである。すなわち、まず、景品玉払出に関する音・ランプコントロール処理が行われる（ステップＳ１６）。音・ランプコントロール処理の次には、払出未処理玉数表示器３４のコントロール処理が行われる（ステップＳ１７）。以下、景品玉払出モータ１０３のコントロール処理（ステップＳ１８）、払出景品玉検出器９６のチェック処理（ステップＳ１９）、入賞玉検出器Ａのチェック処理（ステップＳ２０）、入賞玉検出器Ｂのチェック処理（ステップＳ２１）が順次行われて、景品玉払出制御処理が終了し、サブルーチンに戻る。
　【００５６】
　以上、実施形態に係るパチンコ遊技機１の構成及び動作について説明してきたが、この実施形態によれば、遊技盤１２に設けられる可変表示装置１５や可変入賞球装置２０や遊技効果ランプ３０ａ，３０ｂ等の遊技装置の動作を制御する遊技装置制御回路に、景品玉払出装置９０の動作を制御する払出装置制御回路を含むように回路基板１４１が構成されているので、遊技盤保持枠４２から古い遊技盤１２を取り外して新たな遊技盤１２を取付けた際に、遊技盤１２の交換に伴って当然遊技装置制御回路も交換されることとなり、このため、遊技装置制御回路を交換すれば、自動的に払出装置制御回路も交換されるので、遊技内容と払出される景品玉数とが確実に一致する。
　【００５７】
　なお、上記実施形態の変形例として以下のようなものが考えられる。
▲１▼　上記実施形態では、払出景品玉数の異なる２種類の入賞口を備えたものを示したが、払出景品玉数をすべて同一にしてもよいし、あるいは３種類以上であってもよい。また、遊技状態に応じて払出景品玉数を変化させるようにしてもよい。例えば、可変表示装置１５が予め定める表示になったこと（大当り状態）に基づいて、大当り制御期間中の払出景品玉数を通常時に比べて多くするようにしてもよい。
▲２▼　景品玉の払出制御においては、所定個数の払出が終了したら一定時間間隔を置いて次の所定個数の払出を開始するようにしてもよいし、時間間隔を置くことなく、払出未処理玉カウンタが「０」になるまで連続的に払出すようにしてもよい。この場合には、払出景品玉数が複数種類になっているものであっても、払出未処理玉カウンタを共通の１個のカウンタで構成しても良い。
▲３▼　景品玉払出制御に関し異常が生じた場合に、ゲーム制御を中断し、そのときの遊技状態を記憶するようにしてもよい。
▲４▼　ゲーム制御に用いる入賞玉検出器を景品玉払出制御に兼用するようにしてもよい。例えば、上記実施形態において始動入賞玉検出器４０ａを景品玉払出制御にも用いるようにすれば、第２の入賞玉検出器６０は不要になる。また、入賞個数検出器３９を景品玉払出制御にも用いるようにすれば、入賞個数検出器３９に関する不正（引き抜き、ずらし等）をより有効に防止することができる。
▲５▼　入賞玉検出器５９、６０に異常が生じた場合には、入賞玉集合樋５７、５８で集合される入賞玉を貯留できるようにしてもよい。また、払出景品玉検出器９６に異常が生じた場合には、景品玉排出通路を切り換えて景品玉が遊技者に払出されないようにしてもよい。
▲６▼　上記実施形態では、払出未処理玉数、すなわち、払出の終了していない景品玉数を記憶表示させるようにしたが、景品玉数の代わりに入賞玉数を累積加算してその値を記憶表示させるようにしてもよい。
▲７▼　入賞玉検出器５９、６０の下端に入賞玉検出器５９、６０がＯＦＦのとき入賞玉を停止させる停止装置を設け、入賞玉検出器５９、６０がＯＮし、且つ景品玉払出装置から所定個数の景品玉の払出動作が終了する毎に、停止装置で停止されていた入賞玉を１個づつ排出するようにしてもよい。
▲８▼　遊技盤上に設けられた複数の入賞口への入賞の組合せに基づいて得点が発生する、いわゆるアレンジボール式パチンコ遊技機であってもよい。この場合、組合せの成立に応じて付与される得点を累積加算して記憶し表示させるようにすれば良い。
　【００５８】
　【発明の効果】
　以上、説明したところから明らかなように、この発明に係る弾球遊技機は、遊技装置の動作を制御する遊技装置制御回路に、
景品玉の未払出数を所定個数ずつの払出の時間間隔を置くことなく連続的に払出すように
【図面の簡単な説明】
　【図１】
　弾球遊技機の一例としてのパチンコ遊技機の正面図である。
　【図２】
　パチンコ遊技機の背面概略図である。
　【図３】
　機構板を開放して遊技盤を取り外した状態を示すパチンコ遊技機の背面斜視図である。
　【図４】
　景品玉払出装置の正面断面図である。
　【図５】
　同じく、景品玉払出装置の正面断面図である。
　【図６】
　景品玉払出装置の側面断面図である。
　【図７】
　回路基板収納ケースの取付状態を示す斜視図である。
　【図８】
　回路基板収納ケースの分解斜視図である。
　【図９】
　回路基板の正面図である。
　【図１０】
　回路基板収納ケースを機構板に取付けた状態での断面図である。
　【図１１】
　回路基板に形成される遊技装置制御回路及び払出装置制御回路のブロック構成の回路図である。
　【図１２】
　遊技装置制御回路及び払出装置制御回路の動作を示すフロー図である。
　【図１３】
　同じく、遊技装置制御回路及び払出装置制御回路の動作を示すフロー図である。
　【図１４】
　同じく、遊技装置制御回路及び払出装置制御回路の動作を示すフロー図である。
　【符号の説明】
　１　パチンコ遊技機（弾球遊技機）
　１２　遊技盤
　４２　遊技盤保持枠
　５３　機構板
　９０　景品玉払出装置
　１１０　回路基板収納ケース
　１４１　回路基板
　１６０　マイクロコンピュータ
　電気的遊技装置として、
　９　スピーカー
　１５　可変表示装置
　２０　可変入賞球装置
　３０ａ，３０ｂ　遊技効果ランプ
　３１ａ，３１ｂ　枠ランプ
　接続部材として、
　１５６　配線
　１４３、１５５、１５７　コネクタ
　３６、１０７　中継端子基板